(57)【要約】【課題】  発光作用が早期に又容易に消失してしまうことがなく、高齢者、障害者又は介護者等に不安感を惹起させることもない車椅子、簡易トイレ、特殊ベッド等の福祉関連用品を提供する。【解決手段】  蓄光顔料をコーティングした鱗片状雲母粒子を合成樹脂に混合させて成形した成形品を、車椅子１１、簡易トイレ２１、特殊ベッド３１等の福祉関連用品の外周部分にある構成部材として使用する。鱗片状雲母粒子は、粒子径が０．５〜５．０ｍｍであるのが好ましい。【選択図】              図１
2005218517.tif 000002
【特許請求の範囲】
【請求項１】
蓄光顔料をコーティングした鱗片状雲母粒子を合成樹脂に混合させて成形した成形品を、その外周部分にある構成部材として使用することを特徴とする福祉関連用品。
【請求項２】
前記鱗片状雲母粒子は、粒子径が０．５ｍｍ〜５．０ｍｍであることを特徴とする請求項１に記載の福祉関連用品。
【請求項３】
前記成形品は、前記合成樹脂にさらに木屑粉を混合させて成形したものであることを特徴とする請求項１又は２に記載の福祉関連用品。
【請求項４】
前記福祉関連用品は、車椅子であることを特徴とする請求項１乃至３に記載の福祉関連用品。
【請求項５】
前記福祉関連用品は、簡易トイレであることを特徴とする請求項１乃至３に記載の福祉関連用品。
【請求項６】
前記福祉関連用品は、特殊ベッドであることを特徴とする請求項１乃至３に記載の福祉関連用品。
【発明の詳細な説明】
【技術分野】
【０００１】
本発明は、高齢者、障害者等が養護施設、福祉施設、病院、自宅等において使用して好適な車椅子、簡易トイレ、特殊ベッド等の福祉関連用品に関する。
【背景技術】
【０００２】
身体が虚弱化又は不自由になった高齢者、障害者等は、養護施設、福祉施設、病院、自宅等において、車椅子、簡易トイレ、特殊ベッド等の各種福祉関連用品を使用して生活している。
【０００３】
高齢者、障害者又は介護者等は、昼間にあっては、上記の如き福祉関連用品を使用するのに特に支障はないが、夜間にあっては、照明が点灯しているとは言え、事物を確認するのには若干注意が必要である。特に照明が暗い場所においては、高齢者、障害者又は介護者等は、それら福祉関連用品の存在に気付かずに、脚をぶつけり、蹴躓いたりする虞があり、大変に危険である。
【０００４】
そこで、従来、簡易トイレの構成部材の一部に蛍光塗料を塗布し、照明が暗い場所においては、その構成部材の一部が発光するようにして、その存在を知らしめるようにしたものが提案されている（特許文献１参照。）。
【０００５】
【特許文献１】特開２００１−１４５５８８号公報
【発明の開示】
【発明が解決しようとする課題】
【０００６】
しかし、特許文献１に開示されたものは、簡易トイレの構成部材の表面部にのみ蛍光塗料を塗布したものであるから、使用による構成部材の摩耗等によって、又、構成部材の擦過、破損等によって、容易に蛍光塗料が剥離してしまって、発光作用が比較的早期に消失してしまった。
【０００７】
又、特許文献１に開示されたものは、簡易トイレの構成部材の表面部に一様に蛍光塗料を塗布したものであるから、発光作用は比較的に強烈であり、高齢者、障害者又は介護者等に不安感を惹起させるものであった。さらに、一様に発光するため、冷たい無機質感を惹起させるものであった。
【０００８】
又、蛍光塗料は紫外線に弱い等、耐候性に問題があり、屋外又は太陽光線が当たる場所で使用されると、発光作用が徐々に消失してしまうという問題点も有していた。
【０００９】
本発明は、かかる従来の問題点に鑑みて為されたものであり、使用による構成部材の摩耗等によって、又、構成部材の擦過、破損等によっても、発光作用が早期に消失してしまうことがなく、発光作用が比較的に穏和であり、高齢者、障害者又は介護者等に不安感を惹起させることなく、意匠性を保有させることができ、暖かい有機質感を惹起させるとともに、耐候性にも問題がなく、屋外又は太陽光線が当たる場所で使用されても、容易に発光作用が消失してしまうことのない車椅子、簡易トイレ、特殊ベッド等の福祉関連用品を提供することを目的とする。
【課題を解決するための手段】
【００１０】
上記目的を達成するため、本発明は、蓄光顔料をコーティングした鱗片状雲母粒子を合成樹脂に混合させて成形した成形品を福祉関連用品の構成部材として使用することを特徴とする。
【発明を実施するための最良の形態】
【００１１】
以下、本発明の福祉関連用品の好適な実施形態について、図面を参照して具体的に説明する。
本発明の福祉関連用品は、蓄光顔料をコーティングした鱗片状雲母粒子を合成樹脂に混合させて成形した成形品を構成部材として使用するものである。
【００１２】
雲母は、薄い層に剥がれ易く、弾力性に富み、電気絶縁性及び耐熱性が高い天然鉱物であり、成分の違いから、白雲母（マスコバイト）、金雲母（フロコバイト）、黒雲母（バイオタイト）等がある。
本発明では、雲母を粉砕して鱗片状粒子としたものを使用するが、雲母としては、白雲母を使用するのが好ましく、粒子径としては、０．５〜５ｍｍ、特には、０．５〜３ｍｍのものを使用するのが好ましい。
【００１３】
蓄光顔料は、昼間において、太陽光線等から光エネルギーを吸収、蓄積しておき、夜間において、蓄積した光エネルギーを放出することによって発光する顔料であり、アルミン酸ストロンチューム、ユーロピュームジスプロシューム等を成分とするものである。
尚、上記蓄光顔料に、さらに、酸化チタン、カーボンブラック等の着色剤を添加してもよい。
【００１４】
鱗片状雲母粒子に蓄光顔料をコーティングするには、先ず、蓄光顔料、トルエン、酢酸エチル等の溶剤、アクリル樹脂等のバインダー、及びエポキシ樹脂等の架橋剤を混合した配合品を調製し、次に、鱗片状雲母粒子とこの配合品とを混合した後に乾燥させる。
この鱗片状雲母粒子に蓄光顔料をコーティングする工程は、発光輝度を増大させるために、複数回繰り返すのが好ましい。
さらに、トルエン、酢酸エチル等の溶剤、アクリル樹脂等のバインダー、及びエポキシ樹脂等の架橋剤を混合した配合品を調製し、次に、上記乾燥させた鱗片状雲母粒子とこの配合品とを混合した後に乾燥させる。
【００１５】
そして、蓄光顔料をコーティングした鱗片状雲母粒子をＡＢＳ樹脂、ポリプロピレン、ポリエステル、ポリウレタン等の合成樹脂に混合させ、圧縮成形、押出成形、中空成形等の適宜成形法によって適宜形状、構造の成形品を成形する。
ここで、合成樹脂中に含有させる蓄光顔料は１〜１０重量％が好ましく、特には、３〜８重量％が好ましい。
【００１６】
ここで、雲母は薄い層に剥がれ易いため、粉砕された雲母粒子は鱗片状となり、又、雲母は耐熱性が高いため、雲母粒子を合成樹脂に混合させて成形しても、合成樹脂と完全に融合してしまうことはなく、鱗片状雲母粒子が成形品中に点状に混在する形態となる。
【００１７】
よって、福祉関連用品の構成部材としてその成形品を使用した場合には、夜間においては、成形品中に点状に混在する鱗片状雲母粒子が発光し、成形品が斑点状に発光しているように見え、発光作用は比較的に穏和であるから、高齢者、障害者又は介護者等に不安感を惹起させることはない。
又、鱗片状雲母粒子の成形品中における混在状態を適宜規制することによって、大理石調、石目調等、又、星空模様等の各種模様を構成することができ、意匠性を保有させることができて、高齢者、障害者又は介護者等に暖かい有機質感を惹起させることもできる。
【００１８】
又、福祉関連用品の構成部材としてその成形品を使用した場合には、成形品の内部にも鱗片状雲母粒子が混在しているから、使用による構成部材の摩耗等によって、又、構成部材の擦過、破損等によっても、発光作用が早期に消失してしまうことはない。
【００１９】
又、福祉関連用品の構成部材としてその成形品を使用した場合には、蓄光顔料は耐候性及び耐光性が良好であるから、福祉関連用品が屋外又は太陽光線が当たる場所で使用されても、容易に発光作用が消失してしまうことはない。
【００２０】
尚、合成樹脂に蓄光顔料をコーティングした鱗片状雲母粒子を混合させるとともに、木屑粉を混合させて成形した成形品を、構成部材として使用してもよい。木屑粉は、成形品中に１０〜５０重量％、好ましくは、３０〜４０重量％含有させる。
【００２１】
成形品に木屑粉が混在していれば、成形品に木質感を付与することができ、木製家具調に近いものとなり、高齢者、障害者又は介護者等に、より暖かい有機質感を惹起させることができる。
【実施例１】
【００２２】
本発明を車椅子１１に適用した場合について説明する。
図１に示すように、車椅子１１にあっては、樹脂成形品から成るアームレスト１２、フットレスト１３、ハンドリム１４等の構成部材に、蓄光顔料をコーティングした鱗片状雲母粒子を合成樹脂に混合させて成形した成形品が適用される。
【００２３】
アームレスト１２、フットレスト１３、ハンドリム１４等は車椅子１１の外周部分を構成するものであるから、これらに上記の如き成形品を適用すれば、夜間にあって、特に照明が暗い場所においても、高齢者、障害者又は介護者等は、車椅子１１の存在に容易に気付き、脚をぶつけり、蹴躓いたりする虞はない。
【００２４】
又、アームレスト１２、フットレスト１３、ハンドリム１４等は、使用による摩耗、擦過、破損等を受け易いが、成形品の内部にも鱗片状雲母粒子が混在しているから、発光作用が早期に消失してしまうことはない。
【実施例２】
【００２５】
本発明を簡易トイレ２１に適用した場合について説明する。
図２に示すように、簡易トイレ２１にあっては、樹脂成形品から成るアームレスト２２、バックレスト２３等の構成部材に、蓄光顔料をコーティングした鱗片状雲母粒子を合成樹脂に混合させて成形した成形品が適用される。
【００２６】
アームレスト２２、バックレスト２３等は簡易トイレ２１の外周部分を構成するものであるから、これらに上記の如き成形品を適用すれば、夜間にあって、特に照明が暗い場所においても、高齢者、障害者又は介護者等は、簡易トイレ２１の存在に容易に気付き、脚をぶつけり、蹴躓いたりする虞はない。
【００２７】
又、アームレスト２２、バックレスト２３等は、使用による摩耗、擦過、破損等を受け易いが、成形品の内部にも鱗片状雲母粒子が混在しているから、発光作用が早期に消失してしまうことはない。
【実施例３】
【００２８】
本発明を特殊ベッド３１に適用した場合について説明する。
図３に示すように、特殊ベッド３１にあっては、樹脂成形品から成るヘッドボード３２、フットボード３３等の構成部材に、蓄光顔料をコーティングした鱗片状雲母粒子を合成樹脂に混合させて成形した成形品が適用される。
【００２９】
ヘッドボード３２、フットボード３３等は特殊ベッド３１の外周部分を構成するものであるから、これらに上記の如き成形品を適用すれば、夜間にあって、特に照明が暗い場所においても、高齢者、障害者又は介護者等は、特殊ベッド３１の存在に容易に気付き、脚をぶつけり、蹴躓いたりする虞はない。
【００３０】
又、ヘッドボード３２、フットボード３３等は、使用による摩耗、擦過、破損等を受け易いが、成形品の内部にも鱗片状雲母粒子が混在しているから、発光作用が早期に消失してしまうことはない。
【図面の簡単な説明】
【００３１】
【図１】本発明を適用した車椅子の外観斜視図である。
【図２】本発明を適用した簡易トイレの外観斜視図である。
【図３】本発明を適用した特殊ベッドの外観斜視図である。
【符号の説明】
【００３２】
１１  車椅子
２１  簡易トイレ
３１  特殊ベッド
【図１】
2005218517.tif 000003
【図２】
2005218517.tif 000004
【図３】
2005218517.tif 000005